(57)【特許請求の範囲】
【請求項１】
アクセス端末がアイドルモードに入っているという通知を受信するステップと、
前記アクセス端末が固定長識別子によって識別されるレガシーデバイスであるか、または複数のモード依存識別子のうちの１つによって識別される最新式デバイスであるかを判断するステップであって、前記モード依存識別子のうちの前記１つが前記アイドルモードの前記最新式デバイスを識別するために使用される、判断するステップと、
前記アクセス端末がレガシーデバイスであるとき、少なくとも１つの第１のページング周期を前記アクセス端末に割り振るか、または前記アクセス端末が最新式デバイスであるとき、前記少なくとも１つの第１のページング周期とは異なる、少なくとも１つの第２のページング周期を前記アクセス端末に割り振るステップと
を含む方法。
【請求項２】
前記アクセス端末がレガシーデバイスであるかまたは最新式デバイスであるかを判断するステップが、前記アクセス端末に関連するアクセスノード内に記憶された、前記アクセス端末に関連する情報を使用して、前記アクセス端末がレガシーデバイスであるかまたは最新式デバイスであるかを判断するステップを含む、請求項１に記載の方法。
【請求項３】
前記少なくとも１つの第１のページング周期または前記少なくとも１つの第２のページング周期を割り振るステップが、第１のページング周期の第１のシーケンスまたは第２のページング周期の第２のシーケンスを割り振るステップを含み、前記第１のシーケンスおよび前記第２のシーケンスが相互排他的なページング周期を含む、請求項１に記載の方法。
【請求項４】
前記アクセス端末がレガシーデバイスであるとき前記固定長識別子を記憶して、前記アクセス端末が最新式デバイスであるとき前記モード依存識別子のうちの前記１つを記憶するステップを含み、前記モード依存識別子のうちの前記１つを記憶するステップが、前記アクセス端末が前記アイドルモードにあるとき、前記アクセス端末を識別するために使用される１８ビットの登録解除識別子を記憶するステップを含む、請求項１に記載の方法。
【請求項５】
前記アクセス端末にアドレス指定された情報を受信するステップと、前記アクセス端末がレガシーデバイスであるとき前記固定長識別子のハッシュ表現、または前記アクセス端末が最新式デバイスであるとき前記登録解除識別子のハッシュ表現を含むページング広告メッセージを形成するステップとを含む、請求項４に記載の方法。
【請求項６】
前記モード依存識別子のうちの前記１つを記憶するステップが、レガシーデバイスによって使用される固定長識別子と同じ長さである疑似識別子を記憶するステップを含み、前記アクセス端末にアドレス指定された情報を受信するステップと、前記アクセス端末がレガシーデバイスであるとき前記固定長識別子のハッシュ表現、または前記アクセス端末が最新式デバイスであるとき前記疑似識別子のハッシュ表現を含むページング広告メッセージを形成するステップとを含む、請求項４に記載の方法。
【請求項７】
前記アクセス端末がレガシーデバイスであるとき、前記少なくとも１つの第１のページング周期内で前記ページング広告メッセージを送信するか、または前記アクセス端末が最新式デバイスであるとき、前記少なくとも１つの第２のページング周期内で前記ページング広告メッセージを送信する、請求項５または６に記載の方法。
【請求項８】
アイドルアクセス端末にアドレス指定された少なくとも１つのメッセージを受信するステップと、
前記アイドルアクセス端末が、固定長識別子によって識別されるレガシーデバイスであるか、または複数のモード依存識別子のうちの１つによって識別される最新式デバイスであるかを判断するステップであって、前記モード依存識別子のうちの前記１つが前記アイドルモードの前記最新式デバイスを識別するために使用される、判断するステップと、
前記アイドルアクセス端末がレガシーデバイスであるとき、少なくとも１つの第１のページング周期の間に前記アイドルアクセス端末をページングし、前記アイドルアクセス端末が最新式デバイスであるとき、前記少なくとも１つの第１のページング周期とは異なる、少なくとも１つの第２のページング周期の間に前記アイドルアクセス端末をページングするステップと
を含む方法。
【請求項９】
前記アイドルアクセス端末をページングするステップが、前記アイドルアクセス端末がレガシーデバイスであるとき、第１の複数の第１のページング周期のうちの少なくとも１つの間に前記アイドルアクセス端末をページングするか、または前記アイドルアクセス端末が最新式デバイスであるとき、第１の複数の第２のページング周期のうちの１つの間に前記アイドルアクセス端末をページングするステップを含み、前記第１の複数および前記第２の複数が相互排他的ページング周期を含む、請求項８に記載の方法。
【請求項１０】
前記アイドルアクセス端末をページングするステップが、前記アクセス端末がレガシーデバイスであるとき前記固定長識別子のハッシュ表現、または前記アクセス端末が最新式デバイスであるとき１８ビットの登録解除識別子のハッシュ表現を含むページング広告メッセージを形成するステップを含む、請求項８に記載の方法。
【請求項１１】
前記アイドルアクセス端末をページングするステップが、前記アクセス端末がレガシーデバイスであるとき前記固定長識別子のハッシュ表現、または前記アクセス端末が最新式アクセス端末であるとき、前記アクセス端末に割り振られた疑似識別子のハッシュ表現を含むページング広告メッセージを形成するステップを含む、請求項８に記載の方法。
【請求項１２】
前記アクセス端末がレガシーデバイスであるとき前記少なくとも１つの第１のページング周期内で前記ページング広告メッセージを送信するか、または前記アクセス端末が最新式デバイスであるとき少なくとも１つの第２のページング周期内で前記ページング広告メッセージを前記送信するステップを含む、請求項１０または１１に記載の方法。
【発明の詳細な説明】
【技術分野】
【０００１】
関連出願の相互参照
本出願は、２０１０年６月２１日に出願した、「Ｍｅｔｈｏｄ  ｆｏｒ  ＩＥＥＥ８０２．１６ｍ  Ｐａｇｉｎｇ  Ｏｐｅｒａｔｉｏｎ  ｉｎ  Ｎｅｔｗｏｒｋｓ  Ｓｉｍｕｌｔａｎｅｏｕｓｌｙ  Ｓｕｐｐｏｒｔｉｎｇ  Ｌｅｇａｃｙ  ａｎｄ  Ａｄｖａｎｃｅｄ  Ｍｓｓ」という表題の米国仮出願第６１／３５６，８６１号の出願日の利益を主張するものである。
【０００２】
本出願は、２０１０年６月２１日に出願した、「Ｍｅｔｈｏｄ  ｆｏｒ  Ｍａｎａｇｉｎｇ  ＩＥＥＥ８０２．１６ｍ  Ａｄｖａｎｃｅｄ  ＭＳ  Ｓｔａｔｅｓ  ａｎｄ  Ｉｄｅｎｔｉｆｉｅｒｓ  ｉｎ  ａ  Ｗｉｒｅｌｅｓｓ  Ｎｅｔｗｏｒｋ」という表題の米国仮出願第６１／３５６，８２６号の出願日の利益を主張する、２０１１年６月１日に出願した、米国特許出願第１３／１５０，３２１号、整理番号２１００．０４８０００に関する。
【背景技術】
【０００３】
本発明は、一般に、通信システムに関し、より詳細には、無線通信システムに関する。
【０００４】
従来の無線通信システムは、大規模な、かつ多くの場合、移動性のアクセス端末母集団に無線接続性を提供するために、基地局または他のアクセスノードのネットワークを使用する。それぞれのアクセス端末は、モバイルユニットに固定的に割り当てられた、すなわち、「バーンインされた（ｂｕｒｎｅｄ  ｉｎ）」識別子によって、無線通信システムに対して識別可能である。例えば、ＩＥＥＥ８０２．１６ｅ（２００９）によって定義された標準およびプロトコルに基づくＷｉＭＡＸリリース１の実装形態は、一定の４８ビットの移動局識別子（ＭＳ−ＩＤ）を使用して、ネットワーク内のアクセス端末を識別する。ＭＳ−ＩＤは、一般に、媒体アクセス制御（ＭＡＣ）識別子の形でアクセス端末の製造会社によって設置されるか、またはプログラムされる。別の例では、移動体通信用グローバスシステム（ＧＳＭ）ならびに／またはユニバーサル移動通信サービス（ＵＭＴＳ）の標準および／もしくはプロトコルに従って動作する無線通信システムは、６４ビットの国際移動加入者識別番号（ＩＭＳＩ）を使用して、それぞれのモバイルユニットまたはアクセス端末を識別することができる。
【０００５】
従来の移動局識別子は、ネットワーク内でアクセス端末を無線で識別するために使用される。例えば、識別子から導出されたハッシュ値を送信することによってアクセス端末を無線でページングすることが可能であり、例えば、アクセス端末をページングするために、４８ビットの識別子の２４ビットのハッシュを使用することができる。アクセス端末は、異なる環境において異なる識別子と関連付けられることも可能である。例えば、ＩＥＥＥ８０２．１６ｍの標準および／またはプロトコルに従って動作するＷｉＭＡＸネットワークは、アクセス端末の動作状態に応じて、１０ビットから７２ビットの長さに及ぶ識別番号のセットを使用して、アクセス端末を識別することが可能である。その結果として、ネットワークによって無線で使用される識別子は、動作モードが変更するにつれて、例えば、アクセス端末が、スリープ状態、休止状態、アイドル状態、アクティブ状態、またはその他の動作状態の間をシフトするにつれて変化する。例えば、ＩＥＥＥ８０２．１６ｍに準拠するアイドルアクセス端末は、エアインターフェースを介してアクセス端末をページングするために使用可能な１８ビットの登録解除識別子によって識別されることが可能である。
【発明の概要】
【発明が解決しようとする課題】
【０００６】
開示される主題は、上に記載された問題のうちの１つまたは複数の影響に対処することに関する。以下の記述は、開示される主題のいくつかの態様の基本的な理解をもたらすために、開示される主題の簡素化された概要を提示する。この概要は、開示される主題の網羅的な概説ではない。開示される主題の主な要素もしくは重要な要素を識別すること、または開示される主題の範囲を描写することは意図されない。その唯一の目的は、後に議論されるより詳細な説明の前置きとして、いくつかの概念を簡素化された形で提示することである。
【課題を解決するための手段】
【０００７】
一実施形態では、レガシーアクセス端末および最新式アクセス端末をページングするための方法が提供される。この方法の一実施形態は、アクセス端末がアイドルモードに入っているという通知を受信するステップと、そのアクセス端末が、固定長識別子によって識別されるレガシーデバイスであるか、または複数のモード依存識別子のうちの１つによって識別される最新式デバイスであるかを判断するステップとを含む。モード依存識別子は、アイドルモードの最新式デバイスを識別するために使用される。この実施形態は、アクセス端末がレガシーデバイスであるとき、１つもしくは複数の第１のページング周期をそのアクセス端末に割り振るか、またはアクセスデバイスが最新式デバイスであるとき、１つもしくは複数の第２のページング周期をそのアクセス端末に割り振るステップを含むことも可能である。第１のページング周期と第２のページング周期とは異なる。
【０００８】
別の実施形態では、レガシーアクセス端末および最新式アクセス端末をページングするための方法が提供される。この方法の一実施形態は、アイドルアクセス端末にアドレス指定された少なくとも１つのメッセージを受信するステップと、そのアイドルアクセス端末が、固定長識別子によって識別されるレガシーデバイスであるか、または複数のモード依存識別子のうちの１つによって識別される最新式デバイスであるかを判断するステップとを含む。モード依存識別子は、アイドルモードの最新式デバイスを識別するために使用される。この実施形態は、アイドルアクセス端末がレガシーデバイスであるとき、１つまたは複数の第１のページング周期の間にそのアイドルアクセス端末をページングし、そのアイドルアクセス端末が最新式デバイスであるとき、１つまたは複数の第２のページング周期の間にそのアイドルアクセス端末をページングするステップを含むことも可能である。
【０００９】
開示される主題は、類似の参照番号が類似の要素を識別する添付の図面と共に以下の記述を参照することによって理解されよう。
【図面の簡単な説明】
【００１０】
【図１】無線通信システムの１つの例示的な実施形態を概念的に示す図である。
【図２】ページング周期およびページングオフセットのシーケンスの１つの例示的な実施形態を概念的に示す図である。
【図３Ａ】レガシーデバイス関するページング広告メッセージの実施形態を概念的に例示する図である。
【図３Ｂ】最新式デバイスに関するページング広告メッセージの実施形態を概念的に例示する図である。
【図４】アクセス端末のページングパラメータを設定するためのある方法の１つの例示的な実施形態を概念的に示す図である。
【図５】レガシーデバイスおよび／または最新式デバイスをページングするためのある方法の１つの例示的な実施形態を概念的に示す図である。
【図６】疑似識別子など、固定長識別子をアクセス端末に割り振るためのある方法の１つの例示的な実施形態を概念的に示す図である。
【図７】ページング広告メッセージフォーマットの一実施形態に関する例示的なパラメータ。
【発明を実施するための形態】
【００１１】
開示される主題は、様々な修正形態および変更形態が可能であるが、それらの特定の実施形態は、例として図面で示され、かつ本明細書で詳細に記述される。しかし、本明細書における特定の実施形態の記述は、開示される主題を開示される特定の形態に限定することが意図されず、むしろ、意図するところは、添付の請求項の範囲内に包含されるすべての修正形態、均等物、および変更形態をカバーすることである点を理解されたい。
【００１２】
例示的な実施形態が下で記述される。分かり易くするために、実際の実装形態のすべての特徴が本明細書で記述されるとは限らない。任意のそのような実際の実施形態の開発において、開発者の特定の目標を達成するために、実装形態によって異なることになる、システム関連の制約および事業関連の制約の順守など、様々な実施形態固有の決定が行われるべきである点を当然理解されよう。さらに、そのような開発努力は複雑かつ時間がかかる場合があるが、それでもなお、この開示の利益を有する当業者にとって通常の仕事であることを理解されよう。
【００１３】
次に、開示される主題が添付の図面を参照して記述される。様々な構造、システム、およびデバイスは、単なる説明のために、かつ当業者によく知られている詳細でその記述を不明瞭にしないために図面で概略的に示される。それでもなお、添付の図面は、開示される主題の説明のための実施例を記述および説明するために含まれる。本明細書で使用される用語および成句は、当業者によるそれらの用語および成句の理解と一致する意味を有すると理解ならびに解釈されるべきである。用語または成句の特別な定義、すなわち、当業者によって理解されるような通常の意味および習慣的な意味とは異なる定義は、本明細書の用語または成句の一貫した使用によって意味されることが意図される。用語または成句が特別な意味、すなわち、当業者によって理解される以外の意味を有することが意図される範囲内で、そのような特別な定義は、その用語または成句に関する特別な定義を直接的かつ明白に提供する定義様式で本明細書に明示的に記載される。
【００１４】
一般に、本出願は、無線通信システム内で異なるタイプのアクセス端末のページングをサポートするために使用される技法の実施形態を記述する。無線通信が発達し続けるにつれて、システムは、異なる標準および／またはプロトコルに従って動作するアクセス端末との通信をサポートすることが必要とされる可能性がある。例えば、レガシーアクセス端末および最新式アクセス端末は、異なる長さを有する識別子および／またはその動作モードに基づいてそのアクセス端末に関して選択された識別子を用いて識別されることが可能である。従来のページング技法は複数のページングフォーマットをサポートしない。例えば、８０２．１６ｅの標準および／またはプロトコルに従って動作するページングコントローラは、４８ビットの移動局識別子の２４ビットのハッシュに基づいて、アイドルアクセス端末を識別およびページングすることができる。しかし、その後の標準は、異なる識別子に基づいて、アイドルアクセス端末を識別およびページングすることができる。例えば、８０２．１６ｍ標準は、最新式アクセス端末に関連するいくつかのモード依存識別子のうちの１つである登録解除識別子を使用して、アイドルアクセス端末を識別することができる。登録解除識別子の実施形態は、１８ビットを含むことが可能であるが、他の実施形態では他のビット数を使用することも可能である。
【００１５】
本出願は、したがって、レガシーアクセス端末および最新式アクセス端末の識別ならびにページングをサポートすることが可能な技法の実施形態を記述する。一実施形態では、ページングコントローラは、アクセス端末がいつアイドルモードに入るかを判断して、そのアクセス端末がレガシーデバイスであるかまたは最新式デバイスであるかを判断する。レガシーデバイスは、（４８ビットの移動局識別子など）その固定長識別子によって識別され、最新式デバイスは、アイドルモードで割り振られたモード依存識別子によって識別される。次いで、異なるページング周期および／またはページングオフセットをレガシーデバイスのグループと最新式デバイスのグループとに割り振ることが可能である。そのアクセス端末に関するページング周期情報／ページングオフセット情報およびアイドルモード識別子は、次いで、例えば、ページングコントローラに関連するデータベース内に動的に記憶されることが可能である。システムがアクセス端末を位置特定する必要があるとき、システムは、そのアクセス端末がレガシーデバイスであるかまたは最新式デバイスであるかを判断し、次いで、適切な識別子を使用して、ページング広告メッセージを形成する。次いで、レガシーページング周期／レガシーページングオフセットのセット内でページング広告をレガシーデバイスにレガシーフォーマットで送信することが可能であり、または、ページング周期／ページングオフセットの相互排他的なセット内でページング広告を最新式デバイスに最新式フォーマットで送信することが可能である。
【００１６】
図１は、無線通信システム１００の１つの例示的な実施形態を概念的に示す。例示される実施形態では、無線通信システム１００は、無線接続性を提供するために使用される基地局など、複数のアクセスノード１０５を含む。例えば、アクセスノード１０５（１）は、セル１４０など、地理的領域内に無線接続性を提供する。図１に示されるアクセスノード１０５は、ＩＥＥＥ８０２．１６ｍによって定義される標準および／またはプロトコルなど、ＷｉＭＡＸの標準および／またはプロトコルに従って動作する。しかし、本開示の利益を有する当業者は、無線通信システム１００の代替実施形態は、他の標準および／もしくはプロトコルに従って動作するアクセスノードならびに／またはアクセス端末を含むことが可能である点を理解されたい。例えば、アクセスノード１０５（２）は、１つもしくは複数のレガシー標準および／またはプロトコルに従って無線通信をサポートすることができる。さらに、本明細書で記述される技法の代替実施形態は、無線通信技法を使用する他のタイプのシステムおよび／またはデバイスの形で実施されることが可能である。
【００１７】
モバイルユニットなど、アクセス端末１１０は、アクセス端末１１０とアクセスノード１０５との間のエアインターフェースを介して無線通信システム１００にアクセスすることができる。例示される実施形態では、アクセス端末１１０は、単一の固定長識別子を使用して、エアインターフェースを介してネットワークを通してアクセス端末１１０を識別するレガシーデバイスである。例示的な固定長識別子は、ＩＥＥＥ８０２．１６ｅの標準および／またはプロトコルに従って動作するＷｉＭＡＸシステム内で使用される４８ビットの移動局識別子を含む。あるいは、ＧＳＭシステムおよび／またはＵＭＴＳシステムでは、レガシーアクセス端末１１０を識別するために、国際移動加入者識別（ＩＭＳＩ）番号などの識別子を使用することが可能である。アクセス端末１１０がネットワーク１００内の使用に先立って製造および／または構成されるとき、固定長識別子をアクセス端末１１０に割り当てることができる。アクセス端末１１０を一意に識別するために固定長識別子を常に使用することができるように、固定長識別子は一般に固定的に割り振られる。
【００１８】
アクセス端末１１５は、アクセス端末１１０とは異なる標準および／またはプロトコルに従って動作する。例示される実施形態では、アクセス端末１１５は、モード依存識別子のセットのうちの１つを使用して、エアインターフェースを介して識別され得る最新式デバイスである。本明細書で使用される場合、「モード依存識別子」という用語は、異なる動作モードのアクセス端末１１５を識別するために、異なるモード依存識別子が使用されることを示すために使用される。一実施形態では、異なる識別子は異なる長さを有してよい。例えば、モード依存識別子のうちの１つまたは複数として、１０ビット、１２ビット、１８ビット、２４ビット、４８ビット、または７２ビットの識別子を使用することが可能である。一実施形態では、モード依存識別子のセットは、関連する標準および／またはプロトコルによって定義される。例えば、ＷｉＭＡＸの標準および／またはプロトコルは、表１に示されるように、利用可能なモード依存識別子のセットを定義することができる。しかし、本開示の利益を有する当業者は、表１に示されるモード依存識別子の特定のセットは例示であることが意図され、代替実施形態に関して、他のセットを定義することが可能である点を理解されたい。
【００１９】
【表１】
0005616527.tif 000002
【００２０】
アクセス端末１１０、１１５は、アクティブモード、および非アクティブモードまたはアイドルモードなど、異なる動作モードを実施することができる。アクティブモードは、アクセス端末１１０、１１５がシステム１００とアクティブな通信セッションまたはアクティブな呼を有するときに使用される。アクセス端末１１０、１１５がシステム１００とアクティブに通信していないとき、アクセス端末１１０、１１５は、アイドルモードに入ることによって、電力およびエアインターフェースリソースを保存することができる。一実施形態では、アイドルモードは、アクセス端末１１０、１１５がより低い電力モードを使用して、いずれのアクセスノード１０５にも登録されないことを可能にするが、それでも、例えば、アクセス端末１１０、１１５が割り振られたページング周期および／またはページングオフセットの間にページングチャネルを監視するために起動するとき、アクセス端末１１０、１１５はダウンリンク・ブロードキャスト・トラフィックを受信することができる。ダウンリンクトラフィックがシステム１００内に達するときにアイドルアクセス端末１１０、１１５をページングすることが可能である。例えば、アクセスノード１０５のうちの１つまたは複数は、そのアクセスノードの近傍に配置されたアイドルアクセス端末１１０、１１５をページングするために使用されるページングコントローラに関連するページンググループを形成することができる。アクセス端末１１０、１１５は、アイドルモードに入る前に、アクセスノード１０５によってページンググループ内のページングコントローラに割り当てられることが可能であり、アクセス端末１１０、１１５は、データを受信するために、またはそのページングコントローラを用いて位置変更を更新するために、周期的に起動することができる。
【００２１】
例示される実施形態では、無線通信システム１００は、無線通信システム１００内のページング動作をサポートするために使用される、１つまたは複数のページングコントローラ１２０を含む。ページングコントローラ１２０の例示的な実施形態は、アクセスサービングネットワークゲートウェイ（ＡＳＮ−ＧＷ）など、異なるネットワークエンティティ内で実施されることが可能である。アクセス端末１１０、１１５がアイドルモードに入る準備が整ったとき、アクセス端末１１０、１１５にはページングコントローラ１２０が割り当てられる。例えば、アイドルモードに入っているアクセス端末１１０、１１５は、関連するアクセスノード１０５にメッセージを送ることができ、その関連するアクセスノード１０５は、次いで、アイドルモードエントリーの通知を提供するために、この情報をページングコントローラ１２０に伝えることができる。アクセス端末１１０はアクセス端末１１５とは異なるアイドルモード識別子を使用するため、ページングコントローラ１２０は、異なるタイプのアクセス端末１１０、１１５のアイドルモードエントリーを異なる形で扱う。例示される実施形態では、ページングコントローラ１２０は、その要求しているデバイスが、アクセス端末１１０などのレガシーデバイスであるか、またはアクセス端末１１５などの最新式デバイスであるかを判断する。アイドルレガシーデバイスに関する固定長識別子は第１のデータベース１２５内に記憶され、アイドル最新式デバイスに関する識別子は第２のデータベース１３０内に記憶される。本開示の利益を有する当業者は、代替実施形態は、レガシーデバイスまたは最新式デバイスを示すフィールドを含む複数のエントリーを有する単一のデータベースを使用することなど、レガシーデバイスと最新式デバイスとを識別およびグループ化するための他の技法を使用することが可能である点を理解されたい。
【００２２】
最新式デバイスおよびレガシーデバイスをページングするために異なる時間間隔が割り振られる。例示される実施形態では、ページング周期の相互排他的なセットまたはシーケンスがアイドルアクセス端末１１０とアイドルアクセス端末１１５とにそれぞれ割り振られる。例えば、アイドルレガシーアクセス端末１１０は偶数値のページング周期番号によって識別されるページング周期に割り振られ、アイドル最新式アクセス端末１１５は奇数値のページング周期番号によって識別されるページング周期に割り当てられる。しかし、ベージング周期の他の相互排他的なセットもしくはシーケンスまたは重複しないセットもしくはシーケンスをレガシーデバイスと最新式デバイスとに割り振ることも可能である。例えば、レガシーアクセス端末１１０の数に対して比較的より多い数の最新式アクセス端末１１５を含むことが予測されるシステムでは、比較的より大きな割合のページング周期を最新式デバイスに割り振ることができる。さらに、ページング周期に基づいて異なるページング間隔を区別することに加えて、またはその代わりに、ページングオフセットに関して異なるタイプのデバイスをページングするために使用される相互排他的な時間間隔を定義することが可能である。アクセス端末１１０、１１５が適切なページング時間間隔、ページング周期、および／またはページングオフセットの間にページング広告メッセージに関してページングチャネルを監視すべきであることを知るように、次いで、割り振られたページング時間間隔、ページング周期、および／またはページングオフセットを識別する情報をアクセス端末１１０、１１５に送信することが可能である。
【００２３】
図２は、ページング周期およびページングオフセットのシーケンス２００の１つの例示的な実施形態を概念的に示す。例示される実施形態では、シーケンス２００は、経時的に繰り返す一連のページング周期２０５を含む。それぞれのページング周期２０５は、対応するページングオフセット２１５を使用して示すことが可能な複数のタイムスロットすなわち時間間隔２１０を含む。アイドルレガシーデバイスが示された時間間隔の間にページングチャネルを監視することができるように、ページング周期２０５（１）および／またはページングオフセット２１５（１）をレガシーデバイスに割り振ることが可能である。アイドル最新式デバイスが示された時間間隔の間にページングチャネルを監視することができるように、ページング周期２０５（２）および／またはページングオフセット２１５（２）を最新式デバイスに割り振ることが可能である。
【００２４】
図１を再び参照すると、ページングコントローラ１２０は、対応するアクセス端末１１０、１１５にアドレス指定された情報および／またはメッセージを受信することに応答して、アイドルアクセス端末１１０、１１５のうちの１つまたは複数をページングすることができる。一実施形態では、ネットワーク１００は、アイドルアクセス端末１１０にアドレス指定されたメッセージを受信する。ページングコントローラ１２０（または、ネットワーク１００内のその他のエンティティ）は、次いで、アイドルアクセス端末１１０がレガシーデバイスであるかまたは最新式デバイスであるかを判断する。例えば、ページングコントローラ１２０は、アクセス端末アドレスを使用して、レガシーデータベース１２５または最新式データベース１３０のいずれかの中の適切な識別子を見出すことができる。あるいは、ページングコントローラ１２０は、識別子を検索し、次いで、そのデータベース内の情報を使用して、そのデバイスがレガシーデバイスであるかまたは最新式デバイスであるかを判断することができる。この判断に基づいて、ページングコントローラ１２０は、ページング広告メッセージを作成して、このメッセージを様々なアクセスノード１０５に配信することができる。
【００２５】
レガシーデバイスおよび最新式デバイスをページングするために、異なるアイドルモードアドレスまたは異なるアイドルモード識別子が使用される。レガシーデバイスに関するページング広告メッセージは、レガシー識別子のハッシュバージョンを含むことが可能であり、割り振られたレガシーページング周期および／またはレガシーページングオフセットの間にエアインターフェースを介してこれらのメッセージを送信することが可能である。例えば、アイドルモードアドレスは、アクセス端末の４８ビットの媒体アクセス制御（ＭＡＣ）アドレスをハッシュするために使用される２４ビットのフィールドであってよい。ハッシュ値は、４８ビットのアドレスの除算の残り（モジュロ２）を、生成多項式を使用して導出された多項式Ｄ２４で乗算したものと定義できる。
ｇ（Ｄ）＋Ｄ２４＋Ｄ２３＋Ｄ１８＋Ｄ１７＋Ｄ１４＋Ｄ１１＋Ｄ１０＋Ｄ７＋Ｄ６＋Ｄ５＋Ｄ４＋Ｄ３＋Ｄ＋１
例えば、この実施形態では、４８ビットのアドレス００：Ｄ０：５９：０Ｆ：Ｅ２：２Ｅは、２４ビットの識別子０ｘ５１ｅｆｅ３にハッシュされることになる。最新式デバイスに関するページング広告メッセージは適切なアイドルモード識別子を含むことが可能であり、割り振られた最新式ページング周期および／または最新式ページングオフセットの間にエアインターフェースを介してこれらのメッセージを送信することが可能である。一実施形態では、アイドルモード識別子は、ページンググループ識別子、ページング周期、およびページングオフセットによって定義されたセット内で最新式アクセス端末を一意に識別する登録解除識別子である。ページング広告メッセージフォーマットの一実施形態に関する例示的なパラメータが図７に示される。しかし、本開示の利益を有する当業者は、図７に示されるパラメータの特定のセットは例示であることが意図され、代替実施形態に関して、他のセットを定義することが可能である点を理解されたい。
【００２６】
図３Ａおよび図３Ｂは、レガシーデバイスおよび最新式デバイスに関するページング広告メッセージ３００（１〜２）の実施形態をそれぞれ概念的に例示する。例示される実施形態では、それぞれのページング広告メッセージは、メッセージヘッダ３０５とメッセージ本体３１０とを含む。メッセージヘッダ３０５は、ページングされているアクセス端末の識別子３１５を含む。レガシーデバイスにアドレス指定されているページング広告メッセージ３００（１）は、固定移動局識別子から導出されたアイドルモード識別子３１５（１）を含むことが可能である。例えば、レガシーデバイスを識別するために使用されるアイドルモード識別子３１５（１）は、レガシーデバイスに割り当てられた４８ビットの固定移動局識別子の２４ビットのハッシュバージョンであり得る。最新式デバイスにアドレス指定されたページング広告メッセージ３００（２）は、ＷｉＭＡＸ用のＩＥＥＥ８０２．１６ｍ標準など、関連する標準および／またはプロトコルによって定義された登録解除識別子など、アイドルモード識別子３１５（２）を含むことが可能である。あるいは、疑似識別子を最新式デバイスに割り振ることが可能であり、次いで、その疑似識別子を使用して、アイドルモード識別子３１５（２）を生成することが可能である。例えば、最初のネットワークエントリーにおいて４８ビットの疑似識別子を最新式デバイスに割り振り、次いで、その疑似識別子のハッシュバージョンをアイドルモード識別子３１５（２）として使用することが可能である。レガシー移動局識別子および／または他のレガシーデバイスに関連するレガシー移動局識別子のハッシュバージョンとの衝突の可能性を削減または回避するようにこの疑似識別子を選択することが可能である。
【００２７】
図４は、アクセス端末のページングパラメータを設定するための方法４００の１つの例示的な実施形態を概念的に示す。例示される実施形態では、例えば、より低い電力に切り替えて、エアインターフェースリソースを解放することによって、（４０５において）アクセス端末がアイドルモードに入っていることを示す通知が受信される。この通知は、アクセスノードにおいて受信され、次いで、ページングコントローラなど、ネットワーク内の他のエンティティに伝達されることが可能である。この通知を受信することに応答して、ネットワークは（４１０において）アクセス端末がレガシーデバイスであるかまたは最新式デバイスであるかを判断する。アクセス端末がそのデバイスを識別するために単一の固定長識別子を使用するレガシーデバイスである場合、（４１５において）レガシー識別子を記憶することができる。例えば、ページングコントローラは（４１５において）レガシー識別子をデータベース内に記憶することができる。このデータベースは、レガシーデバイスに関してだけ使用される別個のデータベースとして実施されてよく、またはこのデータベースは、レガシーデータベースと最新式データベースの両方に関して使用される単一のデータベースの一部として実施されてもよい。両方のタイプのデバイスに関して単一のデータベースを使用する実施形態では、ページングコントローラは（４１５において）そのアクセス端末がレガシーデバイスであることを示す情報を記憶することもできる。ページングコントローラは（４２０において）１つまたは複数のページング周期および／またはページングオフセットをレガシーデバイスに割り当てる。この情報は、記憶されることが可能であり、アクセス端末および適切なアクセスノードがそのアクセス端末をページングするためにどのページング周期および／もしくはページングオフセットを監視ならびに／または使用すべきかを知ることができるように、そのアクセス端末およびその適切なアクセスノードに伝達されることも可能である。
【００２８】
ネットワークが（４１０において）そのアクセス端末が最新式デバイスの動作モードに依存するモード依存識別子を使用する最新式デバイスであることを判断した場合、（４２５において）適切な最新式アイドルモード識別子をデータベース内に記憶することができる。本明細書で議論されるように、データベースは、詳細には、最新式デバイスに割り振られることが可能であり、またはレガシーデバイスと最新式デバイスの両方に関する情報を記憶するデータベースの一部であってもよい。一実施形態では、アイドルモード識別子は、最新式デバイスに関連するモード依存識別子のうちの１つである登録解除識別子である。あるいは、例えば、最初のネットワークエントリーにおいて、４８ビットの疑似識別子を最新式デバイスに割り振ることが可能であり、次いで、その疑似識別子をアイドルモード識別子として使用して、（４２５において）データベース内に記憶することが可能である。ページングコントローラは（４３０において）１つもしくは複数のページング周期および／またはページングオフセットを最新式デバイスに割り当てる。最新式デバイスに割り当てられたページング周期および／またはページングオフセットは、レガシーデバイスに割り当てられたページング周期および／またはページングオフセットとは異なる。例えば、ページング周期／ページングオフセットの相互排他的なシーケンスをレガシーデバイスと最新式デバイスとに割り振ることができる。この情報を記憶することが可能であり、アクセス端末と適切なアクセスノードとがそのアクセス端末をページングするためにどのページング周期および／またはページングオフセットを監視ならびに使用すべきかを知ることになるように、そのアクセス端末およびその適切なアクセスノードに伝達されることも可能である。
【００２９】
図５は、レガシーデバイスおよび／または最新式デバイスをページングするための方法５００の１つの例示的な実施形態を概略的に示す。例示される実施形態では、ネットワークは（５０５において）アイドルアクセス端末にアドレス指定されたダウンリンクメッセージを受信する。このメッセージを受信することに応答して、ページングコントローラなど、ネットワーク内のエンティティは、（５１０において）そのアイドルアクセス端末がレガシーデバイスであるかまたは最新式デバイスであるかを判断する。アイドルアクセス端末がレガシーデバイスである場合、ページングコントローラは（５１５において）レガシー固定長識別子を使用してページング広告メッセージを形成することができる。例えば、ページングコントローラは、（５１５において）４８ビットの移動局識別子の２４ビットのハッシュバージョンを形成することができ、この場合、ページング広告メッセージ内にハッシュ識別子を含む。次いで、１つもしくは複数のアクセスノードを使用してレガシーデバイスに割り振られたページング周期および／またはページングオフセット内でエアインターフェースを介して（５２０において）ページング広告メッセージを送信またはブロードキャストすることが可能である。例えば、ページングコントローラは、ページングコントローラがアクセス端末から応答を受信するまで、所定のページング方式またはページングアルゴリズムに従って、ページング広告メッセージをアクセスノードの異なるグループに配信することができる。
【００３０】
アイドルアクセス端末が最新式デバイスである場合、ページングコントローラは、（５２５において）アクセス端末に関連する登録解除識別子など、アイドルモード識別子を使用して、ページング広告メッセージを形成することができる。例えば、ページングコントローラは登録解除識別子をページング広告メッセージ内に含めることができる。例示的な登録解除識別子は、１２ビット、１８ビット、２４ビット、またはその他の数のビットを含むことが可能である。最新式デバイスによって使用される登録解除識別子内およびレガシーデバイスによって使用される固定長識別子のハッシュバージョン内に同じ数のビットを使用することによって、２４ビットの登録解除識別子を有利に使用して、レガシーデバイスおよび最新式デバイスによって使用される識別子を調和させることが可能である。あるいは、例えば、アクセス端末の最初のネットワークエントリーにおいて、最新式デバイスに割り当てられた疑似識別子のハッシュバージョンを使用してアイドルアクセス端末を識別することが可能である。次いで、最新式デバイスに割り振られたページング周期内および／またはページングオフセット内でエアインターフェースを介して１つもしくは複数のアクセスノードによって（５３０において）ページング広告メッセージを送信またはブロードキャストすることが可能である。例えば、ページングコントローラは、ページングコントローラがアクセスモードのうちの１つを経由してアクセス端末から応答を受信するまで、所定のページング方式またはページングアルゴリズムに従って、ページング広告メッセージをアクセスノードの異なるグループに配信することができる。
【００３１】
図６は、疑似識別など、固定長識別子をアクセス端末に割り振るための方法６００の１つの例示的な実施形態を概念的に示す。例示される実施形態では、基地局、もしくはＡＳＮ−ＧＷなどの他のアクセスノード、またはコアネットワークノードなど、ネットワーク内のエンティティはアクセス端末の最初のネットワークエントリーの間に（６０５において）メッセージを受信する。受信されたメッセージは、アクセス端末の識別を示す情報を含む。一実施形態では、アクセス端末の識別は、真の移動局識別子または固定移動局識別子、例えば、アクセス端末が製造および／または構成されたとき、そのアクセス端末に与えられた４８ビットの識別子を使用して示される。次いで、ネットワークエンティティは（６１０において）そのアクセス端末が、レガシーデバイスであるか、または通信の間にエアインターフェースを介してアクセス端末を識別するためにモード依存識別子の使用をサポートする最新式デバイスであるかを判断する。そのアクセス端末がレガシーデバイスである場合、ＡＳＮ−ＧＷ、ＡＡＡサーバなど、他のネットワーク要素がその識別子を使用してそのアクセス端末を識別できるように、（６１５において）移動局識別子をこれらのネットワーク側の要素に提供することができる。あるいは、ネットワークエンティティは、移動局識別子と同じ数のビットを有する疑似識別子を割り当て、次いで、その疑似識別子を使用して、真の移動局識別子を明らかにせずに、そのアクセス端末を識別できるように（６１５において）その疑似識別子をそのネットワークに提供することが可能である。
【００３２】
そのネットワークエンティティが、（６１０において）そのアクセス端末がモード依存識別子をサポートすると判断した場合、（６２０において）固定長識別子をアクセス端末に割り振ることができる。次いで、固定長識別子を使用して、例えば、基地局、ＡＳＮ−ＧＷ、ＡＡＡサーバなど、ネットワーク要素同士の間でインターフェースを介して送信されたメッセージ内でアクセス端末を識別することができる。例えば、固定長識別子はアクセス端末に割り振られた４８ビットの識別子であってよい。固定長識別子は任意の数であってよく、またはアクセス端末に関連する情報に関する１つもしくは複数のその他の識別子から導出されてもよい。固定長識別子は、（６２５において）アクセス端末およびエアインターフェース上の通信を識別するために使用されるモード依存識別子と関連付けられることも可能である。一実施形態では、ネットワークエンティティはアクセス端末に関する固定識別子とモード依存識別子とを関連付ける情報を含むデータベースエントリーを作成する。このデータベースにアクセスして、アップリンク通信および／またはダウンリンク通信に関して固定識別子とモード依存識別子の間でマッピングまたは変換することができる。ネットワークエンティティは、次いで、（６３０において）固定長識別子をネットワーク内の他の要素に提供することができる。様々な実施形態では、方法６００の一部は、アクセス端末に関して実行される認証プロセス、許可プロセス、および／もしくは課金プロセスの前に、それらのプロセスと同時に、またはそれらのプロセスの後に実行されることが可能である。
【００３３】
開示される主題および対応する詳細な説明の一部は、ソフトウェア、またはコンピュータメモリ内のデータビットに関する演算のアルゴリズムおよび記号表現の点で提示されている。これらの記述および表現は、それによって当業者がその仕事の本質を他の当業者に効果的に伝える記述および表現である。ここで使用される用語として、かつ一般に使用されるように、アルゴリズムは、所望される結果をもたらすステップの自己矛盾のないシーケンスと考えられる。これらのステップは、物理量の物理的操作を必要とするステップである。そうであるとは限らないが、通常、これらの量は、記憶されること、転送されること、組み合わされること、比較されること、およびそうでない場合、操作されることが可能な光信号、電気信号、または磁気信号の形をとる。主に共通使用の理由で、これらの信号を時にはビット、値、要素、記号、文字、条件、数などと呼ぶことが好都合であることが証明されている。
【００３４】
しかし、これらの用語および類似の用語はすべて、適切な物理量と関連付けられるべきであり、かつこれらの数量に適用される単に好都合なラベルであることに留意されたい。別段に規定がない限り、または本議論から明らかでない限り、「処理する」または「演算する」または「計算する」または「判断する」または「表示する」などの用語は、コンピュータシステムのレジスタ内およびメモリ内の物理量、電子量として表されたデータを操作して、そのコンピュータシステムのメモリ内もしくはレジスタ内、またはその他のそのような情報記憶デバイス内、情報伝送デバイス内、あるいは情報表示デバイス内の物理量として同じように表される他のデータに変換する、コンピュータシステム、または類似の電子コンピューティングデバイスの動作およびプロセスを指す。
【００３５】
開示される主題のソフトウェア実施態様は、一般に、何らかの形態のプログラム記憶媒体上で符号化されるか、または何らかのタイプの伝送媒体上で実施される点にも留意されたい。このプログラム記憶媒体は、磁気的（例えば、フロッピーディスクもしくはハードドライブ）または光学的（例えば、コンパクトディスク読出し専用メモリ、すなわち「ＣＤ  ＲＯＭ」）であってよく、読出し専用であってよく、あるいはランダムアクセスであってもよい。同様に、伝送媒体は、より対線、同軸ケーブル、光ファイバ、または当技術分野で知られている何らかのその他の適切な伝送媒体であってよい。開示される主題は、任意の所与の実装形態のこれらの態様によって限定されない。
【００３６】
開示された主題は、異なるが、本明細書の教示の利益を有する当業者に明らかな同等の形で修正および実施されることが可能であるため、上で開示された特定の実施形態は単なる例示である。さらに、下の請求項で記述されるものを除いて、本明細書で示される構造または設計の詳細に対して何の制限も意図されない。したがって、上で開示された特定の実施形態は変更または修正されることが可能であり、すべてのそのような変更は開示される主題の範囲内であると見なされることは明らかである。したがって、本明細書で求められる保護は下の請求項に記載される。
【図１】
0005616527.tif 000003
【図２】
0005616527.tif 000004
【図３Ａ】
0005616527.tif 000005
【図３Ｂ】
0005616527.tif 000006
【図４】
0005616527.tif 000007
【図５】
0005616527.tif 000008
【図６】
0005616527.tif 000009
【図７】
0005616527.tif 000010